【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
フェース及びソールの少なくとも一部を有する第１の本体部分を有し、該第１の本体部分が第１の密度を有する第１の材料を有し、
前記フェースと反対側の、前記第１の本体部分の後面に結合された第２の本体部分を有し、該第２の本体部分が第２の密度を有する第２の材料を有し、
前記第１の本体部分及び前記第２の本体部分の少なくとも一方に結合された第３の本体部分を有し、該第３の本体部分が第３の密度を有する第３の材料を有し、
前記第３の密度が前記第１の密度よりも高く、前記第１の密度が前記第２の密度よりも高い、
ゴルフクラブヘッド。
【請求項２】
前記第３の本体部分が前記ソールにのみ結合されている、請求項１記載のゴルフクラブヘッド。
【請求項３】
前記第２の本体部分が前記ソールの少なくとも一部を有し、前記第３の本体部分が前記第１の本体部分と前記第２の本体部分の両方に結合されている、請求項２記載のゴルフクラブヘッド。
【請求項４】
前記フェースが前記第１の本体部分に結合されたインサートである、請求項１記載のゴルフクラブヘッド。
【請求項５】
前記第１の材料は、合金鉄、チタン、チタン合金、又は鋼であり、
前記第２の材料は、バルク成形配合物、ゴム、ウレタン、ポリウレタン、粘弾性材料、熱可塑性又は熱硬化性ポリマー、ブタジエン、ポリブタジエン、シリコーン、又はこれらの組合せであり、
前記第３の材料は、タングステン、タングステン合金、又は鋳造可能なタングステン合金である、請求項１記載のゴルフクラブヘッド。
【請求項６】
前記第３の密度は、７．５ｇｍ／ｃｃ以上である、請求項１記載のゴルフクラブヘッド。
【請求項７】
前記第３の本体部分は、バー又は１つ若しくは２つ以上の重りインサートの形態をしている、請求項１記載のゴルフクラブヘッド。
【請求項８】
前記第３の本体部分は、前記第１の本体部分及び前記第２の本体部分と同時成形される、請求項１記載のゴルフクラブヘッド。
【請求項９】
ゴルフクラブヘッドであって、
前側開口部を構成する本体を有し、該本体が前記前側開口部に隣接して棚状突起を有し、
前記棚状突起で前記本体に結合されたフェースインサートと、
前記本体と前記フェースインサートの中間に位置する防振部材とを有する、
ゴルフクラブヘッド。
【請求項１０】
前記防振部材は、圧縮状態で保持されている、請求項９記載のゴルフクラブヘッド。
【請求項１１】
前記フェースインサートは、前記棚状突起のところでのみ前記本体に接触している、請求項９記載のゴルフクラブヘッド。
【請求項１２】
前記棚状突起は、前記前側開口部の周囲に沿ってぐるりと延びている、請求項１１記載のゴルフクラブヘッド。
【請求項１３】
前記本体は、その下方部分にアンダーカットを有し、前記アンダーカットは、前記ゴルフクラブヘッドのソールに向かって延びている、請求項９記載のゴルフクラブヘッド。
【請求項１４】
前記防振部材は、前記アンダーカットを少なくとも部分的に埋めている、請求項１３記載のゴルフクラブヘッド。
【請求項１５】
前記フェースインサートは、チタン、チタン合金、高力鋼、高力アルミニウム合金、又は金属マトリックス複合材料から成る、請求項９記載のゴルフクラブヘッド。
【請求項１６】
前記防振部材は、バルク成形配合物、ゴム、ウレタン、ポリウレタン、粘弾性材料、熱可塑性又は熱硬化性ポリマー、ブタジエン、ポリブタジエン、シリコーン、又はこれらの組合せから成る、請求項９記載のゴルフクラブヘッド。
【請求項１７】
前記防振部材は、前記フェースインサートと接触状態にある第１の材料及び前記本体と接触状態にある第２の材料を含む複数種類の材料を有し、前記第１の材料は、前記第２の材料よりも硬い、請求項９記載のゴルフクラブヘッド。
【請求項１８】
前記フェースインサートは、その後面に設けられた１つ又は２つ以上の隆起領域を有し、前記隆起領域は、少なくとも一部が前記防振部材に接触している、請求項９記載のゴルフクラブヘッド。
【請求項１９】
前記本体は、前記防振部材の後側部分が収納されたチャンバを有する、請求項１８記載のゴルフクラブヘッド。
【請求項２０】
前記フェースインサートは、スイートスポットを有し、
前記防振部材は、前記スイートスポットと反対側の前記フェースインサートの後面と接触状態にある、請求項９記載のゴルフクラブヘッド。
【請求項２１】
前記防振部材は、１つ又は２つ以上の重り部材を有する、請求項９記載のゴルフクラブヘッド。
【請求項２２】
前記防振部材は、前記本体及び前記フェースインサートと接触状態にあるが、前記本体又は前記フェースインサートには結合されていない、請求項９記載のゴルフクラブヘッド。
【請求項２３】
前記フェースインサートは、その後面から外方に延びる突出部位を有する、請求項１又は９記載のゴルフクラブヘッド。
【請求項２４】
前記ゴルフクラブヘッドは、キャビティバックであり、前記突出部は、前記キャビティ内に収納され、前記突出部は、菱形の形をしている、請求項１又は２３記載のゴルフクラブヘッド。
【請求項２５】
前記防振部材は、所定の荷重を受けると、外観を変える材料から成る、請求項９記載のゴルフクラブヘッド。
【請求項２６】
前記防振部材は、前記ゴルフクラブヘッドのトウに向かって位置決めされた第１の防振部材を有し、前記防振部材は、前記ゴルフクラブヘッドのヒールに向かって位置決めされた第２の防振部材を更に含む、請求項９記載のゴルフクラブヘッド。
【請求項２７】
前記防振部材は、前記フェースインサートの後面に接触した複数個の浮遊状態の圧縮フィンガのうちの１つである、請求項９記載のゴルフクラブヘッド。
【請求項２８】
前記フィンガは各々、共通ベース部材に接合されている、請求項２７記載のゴルフクラブヘッド。
【請求項２９】
前記フェースインサートは、チタン、チタン合金、アルミニウム、アルミニウム合金、高力アルミニウム合金、又はステンレス鋼を含む材料で作られ、
前記本体は、ステンレス鋼を含む材料で作られている、請求項４又は９記載のゴルフクラブヘッド。
【請求項３０】
前記フェースインサートは、裏当て部材によって前記本体から隔離されている、請求項９記載のゴルフクラブヘッド。
【請求項３１】
前記裏当て部材は、防振材料で作られている、請求項３０記載のゴルフクラブヘッド。
【請求項３２】
前記裏当て部材を実質的に包囲した箔を更に有する、請求項３０記載のゴルフクラブヘッド。
【請求項３３】
前記裏当て部材は、模様付き後面を有し、
前記箔は、前記模様付き後面を強調するよう設計されている、請求項３２記載のゴルフクラブヘッド。
【請求項３４】
前記模様付き後面は、１つ又は２つ以上の標識を有し、
−前記箔は、色を前記標識に施すことにより前記模様付き後面を強調するよう設計されている、請求項３３記載のゴルフクラブヘッド。
【請求項３５】
チャンバを構成するベース部材及び前記チャンバ内で前記ベース部材に結合された標識部材を備えるメダリオンを更に有する、請求項９記載のゴルフクラブヘッド。
【請求項３６】
前記標識部材は、１つ又は２つ以上の溝を備え、前記溝は、塗料で埋められている、請求項３５記載のゴルフクラブヘッド。
【請求項３７】
前記フェースインサート及び前記本体のうちの一方は、タブを有し、
前記フェースインサート及び前記本体のうちの他方は、前記タブに対応してこれと協働する溝を有し、
前記タブ及び前記溝は、前記フェースインサートが、前記本体に対して所定の場所に位置決めされたとき、前記タブを前記溝内に保持するよう構成されている、請求項４又は９記載のゴルフクラブヘッド。
【請求項３８】
前記タブ及び前記溝は、複数の別々のタブと溝の対のうちの１つである、請求項４又は３７記載のゴルフクラブヘッド。
【請求項３９】
前記フェースインサート及び前記本体のうちの一方又は両方は、前記フェースの近くに溝を構成する、請求項４又は９記載のゴルフクラブヘッド。
【請求項４０】
前記ゴルフクラブヘッドは、ＭＯＩとＣＯＧの比が約１，６００ｇ．ｃｍ以上である、請求項１又は９記載のゴルフクラブヘッド。